(57)【要約】  【課題】デジタルカメラ使用者の使い勝手が良く、更に出力音圧の高いスピーカー配置を小型で実現可能とするレイアウトを提供することを目的とする。  【解決手段】操作部材の本体内部側に一部分が操作部材と重なり合うようにスピーカーを配置し、スピーカーの該操作部材とは重ならない領域に位置する外装に通音孔を設けた構成とする。【選択図】  図１
2015145902.tif 000002
【特許請求の範囲】
【請求項１】
操作部材の本体内部側に一部分が操作部材と重なり合うようにスピーカーを配置し、該スピーカーの該操作部材とは重ならない領域に位置する外装に通音孔を設ける構成としたことを特徴とする電子機器。
【請求項２】
該操作部材が回転式の円形部材であることを特徴とする請求項１に記載の電子機器。
【請求項３】
該操作部材と該通音孔が設けられた外装面とは２ｍｍ以上の段差を有したことを特徴とする請求項１に記載の電子機器。
【請求項４】
該操作部材とスピーカーの間には金属板金部材が介在し、外装に設けられた通音孔近傍まで金属板金部材の一部が延出していることを特徴とする請求項１に記載の電子機器。
【発明の詳細な説明】
【技術分野】
【０００１】
本発明は、スピーカーを搭載した電子機器、特には撮像素子によって撮影された画像の画像信号をデジタル画像信号へ変換しメモリーカード等の記録メディアに保存するデジタルカメラなどに関する。
【背景技術】
【０００２】
近年、デジタルカメラにおいては静止画のみならず動画も撮影可能なものが主流となっている。
【０００３】
動画が撮影可能となると撮影時の音声も同時に録音されることから、デジタルカメラで撮影した動画を再生する場合にも音声の確認ができるようスピーカーを搭載したデジタルカメラが多い。
【０００４】
また、スピーカーを搭載することで動画再生時の音声のみならず、デジタルカメラの起動音やシャッター音など様々な場面において可能性が広がることからスピーカーの需要は高い。
【０００５】
ところで、デジタルカメラにスピーカーを搭載する場合、配置位置は使用者の使い勝手からデジタルカメラ背面や上面にレイアウトすることが望ましい。これはデジタルカメラを構えた撮影者にスピーカー音を聞こえ易くするためである。
【０００６】
また同様の理由でスピーカーの通音孔を撮影者が指で塞いでしまわないような位置にする必要がある。
【０００７】
特にデジタルカメラ本体を撮影者がグリップした際に右手の親指が自然と来る範囲内にスピーカーの通音孔が配置されていると撮影者が無意識に通音孔を塞いでしまい、スピーカー音圧レベルが極端に低下し、撮影者がスピーカー音に気付かないといった場合がある。
【０００８】
更にスピーカーをデジタルカメラ内に配置する際にはデジタルカメラ全体の小型化を意識する必要がある。
【０００９】
これはスピーカーを撮影者に聞こえやすいよう背面や上面にそしてグリップの際に指で塞ぎにくいところへと考慮して配置するとデジタルカメラ本体の大型化を招いてしまうことが多いからである。
【００１０】
そこで、特許文献１のような技術が紹介されている。
【００１１】
即ち、デジタルカメラ背面の押しボタンスイッチを構成した基板の裏側スペースへスピーカーを配置し、上記スイッチを避けた範囲の基板に穴を開けるという構成である。
【００１２】
この構成によればデジタルカメラ内部のデッドスペースを有効的に活用することでスピーカーを配置できるので小型化に寄与すると共に押しボタンと外装との隙間全体からスピーカー音が排出されるので、撮影者が不用意に指で通音孔を塞いでしまいスピーカー音圧が極端に低下するといったことは無い。
【００１３】
しかしながら、上記の構成ではスピーカーから外装面までの距離が極端に長くなっていることからスピーカーから外装面までの空間が非常に大きくなってしまっており、スピーカーの出力音圧が低いものでしかなかった。
【００１４】
また、近年のデジタルカメラにおいては有機ELや液晶などの表示部が背面領域の大半を占めてしまうため、上記のような構成を取ることが難しくなってきている。
【先行技術文献】
【特許文献】
【００１５】
【特許文献１】特開２００６−６４９３５号公報
【発明の概要】
【発明が解決しようとする課題】
【００１６】
上記問題点に鑑みて、本発明ではデジタルカメラ使用者の使い勝手が良く、更に出力音圧の高いスピーカー配置を小型で実現可能とするレイアウトを提供することを目的とする。
【課題を解決するための手段】
【００１７】
上記目的を達成するために本発明は、
操作部材の本体内部側に一部分が操作部材と重なり合うようにスピーカーを配置し、スピーカーの該操作部材とは重ならない領域に位置する外装に通音孔を設ける構成としたことを特徴とする。
【発明の効果】
【００１８】
本発明によれば、
デジタルカメラ内に省スペースでスピーカーの配置が可能となり、デジタルカメラ本体の小型化に寄与すると共に、使用者が不用意に通音孔を指で塞いでしまうことがなく、更に出力音圧の高いスピーカー配置が実現可能となる。
【図面の簡単な説明】
【００１９】
【図１】本実施の形態に係るデジタルカメラの斜視図である。
【図２】本実施の形態に係るデジタルカメラの主要部分を示した上面図である。
【図３】本実施の形態に係るデジタルカメラの主要部分を示した断面図である。
【発明を実施するための形態】
【００２０】
［実施例］
以下図を用いて本発明に係る実施の形態を説明する。
【００２１】
図１は本実施の形態に係るデジタルカメラの斜視図であり
図２は本実施の形態に係る主要部分を示した上面図である。
【００２２】
また図３は図２の断面図を示している。
【００２３】
図１に示すように、デジタルカメラ１は上面部に電源ボタン２、シャッターボタン３、撮影モード切替ダイヤル４、露出補正調整ダイヤル５を備えている。それらは上面部カバー６で保持されており、更に上面部カバーにはスピーカーの音をデジタルカメラ外に出力するための通音孔７が設けてある。
【００２４】
このようにスピーカーの音が出力される通音孔７が露出補正調整ダイヤル５よりも低い面に設けてあることから、デジタルカメラの使用者は通音孔７を指で塞いでしまうことがなく、常にスピーカーから高音圧の出力音を得ることができる。
【００２５】
この際に露出補正調整ダイヤル５の上面と通音孔７が設けられた上面部カバー６の面とは２ｍｍ以上の段差があることが望ましい。これは段差が設けてあっても２ｍｍ以下の小さな段差であると通音孔を塞がなくとも使用者が無意識に指を置いてしまい、音圧低下を招いてしまうからである。
【００２６】
そして図２に示すように露出補正調整ダイヤル５とスピーカー８はスピーカーの一部分が重なり合って配置されている。
【００２７】
そして、上面部カバー６のスピーカー８の露出補正調整ダイヤル５とは重なり合わない領域に位置する部分へ通音孔７が設けられている。
【００２８】
このような関係とすることで、省スペースでスピーカーの配置が可能となり、結果的にデジタルカメラ１の小型化へ寄与している。
【００２９】
また図３に示すように露出補正調整ダイヤル５とスピーカー８の間には金属板金部材９が配置されている。
【００３０】
金属板金部材９は露出補正調整ダイヤル５の操作を電気的に検出するためのＦＰＣを保持していると共にスピーカー８のフロントキャビティ１０を形成している。
【００３１】
これによりスピーカーの外径サイズに比べ通音孔の範囲が狭くても高音圧の音を出力することが可能となっている。
【００３２】
更に金属板金は延出部１１を有している。
【００３３】
これにより通音孔７よりカメラ本体内部へ静電気が入り込んだ場合にスピーカーに直接放電しないよう避雷針の役割も果たすことができる。
【符号の説明】
【００３４】
１・・・デジタルカメラ
５・・・露出補正調整ダイヤル
６・・・上面部カバー
７・・・通音孔
８・・・スピーカー
９・・・金属板金部材
１１・・延出部
【図１】
2015145902.tif 000003
【図２】
2015145902.tif 000004
【図３】
2015145902.tif 000005